(57)【要約】      （修正有）【課題】顧客の予算に応じた居住空間を迅速に、イメージしやすく提案する。【解決手段】居住空間の基本構造情報１０と、住宅設備商品の画像情報１２と、基本構造に対応した居住空間への住宅設備商品の備え付け位置情報１５と、基本構造に対応した居住空間の基本価格情報１１と、住宅設備商品の商品価格情報１４とが蓄積されたデータベースＤＢを用意するデータ蓄積工程Ｓ１０と、構造選定工程Ｓ２１及び商品選定工程Ｓ２２を行なうとともに、データベースＤＢから構造選定済み空間の基本構造情報１０、備え付け位置情報１５及び基本価格情報１１と選定済み商品の画像情報１２及び商品価格情報１４とを入手する情報特定工程Ｓ２０とを備え、見積工程Ｓ３０を基本価格情報１１と商品価格情報１４とに基づいて行なうとともに、モデル作成工程Ｓ４０を基本構造情報１０と備え付け位置情報１５と画像情報１２で行なう。【選択図】        図３
2004151999.tif 000002
【特許請求の範囲】
【請求項１】
居住空間の基本構造を構造選定済み空間として選定する構造選定工程と、該構造選定済み居住空間に備え付ける住宅設備商品を選定済み商品として選定する商品選定工程と、該構造選定済み空間に該選定済み商品を備え付けた選定居住空間の見積もり価格を算出する見積工程と、該選定居住空間のモデルを作成するモデル作成工程とを備えた居住空間の提案方法において、
前記居住空間の基本構造情報と、前記住宅設備商品の画像情報と、前記基本構造に対応した該居住空間への該住宅設備商品の備え付け位置情報と、該基本構造に対応した該居住空間の基本価格情報と、該住宅設備商品の商品価格情報とが蓄積されたデータベースを用意するデータ蓄積工程と、
コンピュータにより、前記構造選定工程及び前記商品選定工程を行なうとともに、該データベースから前記構造選定済み空間の該基本構造情報、該備え付け位置情報及び該基本価格情報と前記選定済み商品の該画像情報及び該商品価格情報とを入手する情報特定工程とを備え、
コンピュータにより、前記見積工程を該基本価格情報と該商品価格情報とに基づいて行なうとともに、前記モデル作成工程を該基本構造情報と該備え付け位置情報と該画像情報とに基づいて行なうことを特徴とする居住空間の提案方法。
【請求項２】
前記モデル作成工程は前記選定居住空間の３次元カラーモデルを作成することを特徴とする請求項１記載の居住空間の提案方法。
【請求項３】
前記備え付け位置情報は座標情報であり、前記基本構造情報及び前記画像情報は３次元情報であることを特徴とする請求項２記載の居住空間の提案方法。
【請求項４】
前記商品選定工程は、前記選定済み商品の変更を可能とする商品変更工程を含むことを特徴とする請求項１乃至３のいずれか１項記載の居住空間の提案方法。
【請求項５】
前記商品選定工程は、前記選定済み商品の追加を可能とする商品追加工程を含むことを特徴とする請求項１乃至４のいずれか１項記載の居住空間の提案方法。
【請求項６】
前記住宅設備商品は品番情報をもち、該品番情報によって前記画像情報及び前記商品価格情報が関連付けされていることを特徴とする請求項１乃至５のいずれか１項記載の居住空間の提案方法。
【請求項７】
前記情報特定工程はクライアントコンピュータにより行なわれ、前記モデル作成工程は該クライアントコンピュータと送受信可能に接続されたサーバコンピュータにより行なわれることを特徴とする請求項１乃至６のいずれか１項記載の居住空間の提案方法。
【請求項８】
前記サーバコンピュータにより作成された前記モデルのデータであるモデルデータが前記クライアントコンピュータに送信されることを特徴とする請求項７記載の居住空間の提案方法。
【請求項９】
前記モデルデータは提案書として印刷されることを特徴とする請求項７又は８記載の居住空間の提案方法。
【請求項１０】
前記情報特定工程は、前記構造選定工程及び前記商品選定工程による顧客データを作成する顧客データ作成工程を備えていることを特徴とする請求項１乃至９のいずれか１項記載の居住空間の提案方法。
【請求項１１】
居住空間は浴室であることことを特徴とする請求項１乃至１０のいずれか１項記載の居住空間の提案方法。
【請求項１２】
居住空間の基本構造を構造選定済み空間として選定可能な構造選定手段と、該構造選定済み居住空間に備え付ける住宅設備商品を選定済み商品として選定可能な商品選定手段と、該構造選定済み空間に該選定済み商品を備え付けた選定居住空間の見積もり価格を算出可能な見積手段と、該選定居住空間のモデルを作成可能なモデル作成手段とを備えた居住空間の提案システムにおいて、
前記居住空間の基本構造情報と、前記住宅設備商品の画像情報と、前記基本構造に対応した該居住空間への該住宅設備商品の備え付け位置情報と、該基本構造に対応した該居住空間の基本価格情報と、該住宅設備商品の商品価格情報とが蓄積されたデータベースを用意するデータ蓄積手段と、
前記構造選定手段及び前記商品選定手段を含み、該データベースから前記構造選定済み空間の該基本構造情報、該備え付け位置情報及び該基本価格情報と前記選定済み商品の該画像情報及び該商品価格情報とを入手する情報特定手段とを備え、
前記見積手段は該基本価格情報と該商品価格情報とに基づいて行ない、前記モデル作成手段は該基本構造情報と該備え付け位置情報と該画像情報とに基づいて行なうことを特徴とする居住空間の提案システム。
【請求項１３】
居住空間の基本構造を構造選定済み空間として選定する構造選定工程と、該構造選定済み居住空間に備え付ける住宅設備商品を選定済み商品として選定する商品選定工程と、該構造選定済み空間に該選定済み商品を備え付けた選定居住空間の見積もり価格を算出する見積工程と、該選定居住空間のモデルを作成するモデル作成工程とを備えた居住空間の提案プログラムを記録したコンピュータ読み取り可能な記録媒体であって、
前記居住空間の基本構造情報と、前記住宅設備商品の画像情報と、前記基本構造に対応した該居住空間への該住宅設備商品の備え付け位置情報と、該基本構造に対応した該居住空間の基本価格情報と、該住宅設備商品の商品価格情報とが蓄積されたデータベースを用意するデータ蓄積工程と、
コンピュータにより、前記構造選定工程及び前記商品選定工程を行なうとともに、該データベースから前記構造選定済み空間の該基本構造情報、該備え付け位置情報及び該基本価格情報と前記選定済み商品の該画像情報及び該商品価格情報とを入手する情報特定工程とを備え、
コンピュータにより、前記見積工程を該基本価格情報と該商品価格情報とに基づいて行なうとともに、前記モデル作成工程を該基本構造情報と該備え付け位置情報と該画像情報とに基づいて行なうことを特徴とする居住空間の提案プログラムを記録したコンピュータ読み取り可能な記録媒体。
【請求項１４】
居住空間の基本構造を構造選定済み空間として選定する構造選定工程と、該構造選定済み居住空間に備え付ける住宅設備商品を選定済み商品として選定する商品選定工程と、該構造選定済み空間に該選定済み商品を備え付けた選定居住空間の見積もり価格を算出する見積工程と、該選定居住空間のモデルを作成するモデル作成工程とを備えた居住空間の提案プログラムであって、
前記居住空間の基本構造情報と、前記住宅設備商品の画像情報と、前記基本構造に対応した該居住空間への該住宅設備商品の備え付け位置情報と、該基本構造に対応した該居住空間の基本価格情報と、該住宅設備商品の商品価格情報とが蓄積されたデータベースを用意するデータ蓄積工程と、
コンピュータにより、前記構造選定工程及び前記商品選定工程を行なうとともに、該データベースから前記構造選定済み空間の該基本構造情報、該備え付け位置情報及び該基本価格情報と前記選定済み商品の該画像情報及び該商品価格情報とを入手する情報特定工程とを備え、
コンピュータにより、前記見積工程を該基本価格情報と該商品価格情報とに基づいて行なうとともに、前記モデル作成工程を該基本構造情報と該備え付け位置情報と該画像情報とに基づいて行なうことを特徴とする居住空間の提案プログラム。
【発明の詳細な説明】
【０００１】
【発明の属する技術分野】
本発明は居住空間の提案方法、居住空間の提案システム、居住空間の提案プログラムを記録したコンピュータ読み取り可能な記録媒体及び居住空間の提案プログラムに関する。
【０００２】
【従来の技術】
従来、営業担当者がショールーム、工務店、設計事務所等の顧客に対して、居住空間の営業を行うには、一般的に次のような方法を採っていた。まず、支社・営業所の営業担当者は、居住空間の発注者としての顧客が所望する居住空間の構造を把握し、その居住空間の構造に適合可能な部材のうち、適切なものをカタログやパンフレットの中からピックアップして顧客に提示する。そして、その営業担当者は、顧客の意見を聞きつつ、顧客の意向に沿うよう部材を変更して提示する。このような提示が繰り返され、最終的に居住空間の仕様が決定される。この際、部材の見積もり価格である個別見積もり価格も当然に参酌される。
【０００３】
この後、その営業担当者は、部材の製造納期を確認し、提示する。また、施工業者からも営業担当者が派遣され、その営業担当者は、部材の施工納期及び工事費の見積もり価格である工事見積もり価格を確認し、提示する。顧客がその製造納期、施工納期並びに個別見積もり価格及び工事見積もり価格に満足いけば、営業担当者及び施工業者が見積書を発行し、受注後に受注確認書が顧客に送付される。
【０００４】
【発明が解決しようとする課題】
しかし、上記従来の居住空間の営業方法では、居住空間の仕様の決定や居住空間の見積書の作成及び送付の各営業業務が各々個別に行われており、営業業務全体として長時間を要していた。つまり、支社・営業所の営業担当者が顧客との間で居住空間の仕様を決定した後、その営業担当者が自ら支社・営業所に戻ってから又は内勤の担当者に業務を委託することにより、製造納期等の条件を改めて顧客に連絡する。また、施工業者の営業担当者も一度はその顧客まで出向き、自ら戻ってから又は内勤の担当者に業務を委託することにより、施工納期等の条件を顧客に連絡する。こうして、初めて受注となるのである。このため、各営業業務の即時性に欠け、トータルの営業業務に長時間を要することとなっていた。
【０００５】
また、支社・営業所側の営業担当者は、カタログ等を開きつつ顧客との間で部材の決定を行わなければならず、面倒である。これは顧客にとっても同様である。つまり、この営業方法では、営業担当者及び顧客の間で居住空間の選定に時間がかかることとなる。
【０００６】
さらに、この営業方法では、顧客は、自己が発注した居住空間の全体を空想しているだけで全く確認できないか、またできたとしてもカタログに掲載されている特定の商品の写真又は図面によって確認するだけである。このため、その顧客は、そうして選定した居住空間が真に所望するものでない場合もあり、自己の希望に合わない浴室に甘んじなければならないこともあった。他方、営業担当者としては、顧客の希望を正確に受注に結びつけることができないことともなる。つまり、この営業方法では、顧客及び営業担当者ともに発注及び受注の対象としての居住空間を正確に把握できない。
【０００７】
この点、特願２００２−０５２７４３号の先行出願の発明において、部材が備え付けられた所望の居住空間をコンピュータにより選定し、居住空間の見積もり価格をコンピュータに表示させる居住空間の提案方法を記載した。その提案方法では、コンピュータにおいて、居住空間の基本構造を構造選定済み空間として選定する構造選定工程と、構造選定済み居住空間に備え付ける住宅設備商品を選定済み商品として選定する商品選定工程と、構造選定済み空間に選定済み商品を備え付けた選定居住空間の見積もり価格を算出する見積工程と、選定居住空間のモデルを作成するモデル作成工程とを行っている。このため、居住空間のトータルの提案を迅速に行うことができるとともに、発注及び受注の対象としての居住空間を把握することができる。その際、顧客が居住空間の構造や居住空間に備え付ける住宅設備商品を選定することにより、居住空間の見積り価格が算出される。
【０００８】
しかし、その見積り価格が顧客の予算を満たしていない場合、再度、顧客が居住空間の構造や居住空間に備え付ける住宅設備商品を選定し直さばければならない。また、居住空間の構造や住宅設備商品を選定し直すことにより、居住空間のイメージが大きく変わってしまうこととなる。
【０００９】
本発明は、従来の実情に鑑みてなされたものであって、顧客の予算に応じた居住空間を迅速に提案することができるとともに、顧客がイメージする居住空間を迅速に提案することができることを解決すべき課題としている。
【００１０】
【課題を解決するための手段】
本発明の居住空間の提案方法は、居住空間の基本構造を構造選定済み空間として選定する構造選定工程と、該構造選定済み居住空間に備え付ける住宅設備商品を選定済み商品として選定する商品選定工程と、該構造選定済み空間に該選定済み商品を備え付けた選定居住空間の見積もり価格を算出する見積工程と、該選定居住空間のモデルを作成するモデル作成工程とを備えた居住空間の提案方法において、
【００１１】
前記居住空間の基本構造情報と、前記住宅設備商品の画像情報と、前記基本構造に対応した該居住空間への該住宅設備商品の備え付け位置情報と、該基本構造に対応した該居住空間の基本価格情報と、該住宅設備商品の商品価格情報とが蓄積されたデータベースを用意するデータ蓄積工程と、
【００１２】
コンピュータにより、前記構造選定工程及び前記商品選定工程を行なうとともに、該データベースから前記構造選定済み空間の該基本構造情報、該備え付け位置情報及び該基本価格情報と前記選定済み商品の該画像情報及び該商品価格情報とを入手する情報特定工程とを備え、
【００１３】
コンピュータにより、前記見積工程を該基本価格情報と該商品価格情報とに基づいて行なうとともに、前記モデル作成工程を該基本構造情報と該備え付け位置情報と該画像情報とに基づいて行なうことを特徴とする。
【００１４】
また、本発明の提案方法は、本発明の提案方法を使用した提案システムにより実現可能である。すなわち、この提案システムは、居住空間の基本構造を構造選定済み空間として選定可能な構造選定手段と、該構造選定済み居住空間に備え付ける住宅設備商品を選定済み商品として選定可能な商品選定手段と、該構造選定済み空間に該選定済み商品を備え付けた選定居住空間の見積もり価格を算出可能な見積手段と、該選定居住空間のモデルを作成可能なモデル作成手段とを備えた居住空間の提案システムにおいて、
【００１５】
前記居住空間の基本構造情報と、前記住宅設備商品の画像情報と、前記基本構造に対応した該居住空間への該住宅設備商品の備え付け位置情報と、該基本構造に対応した該居住空間の基本価格情報と、該住宅設備商品の商品価格情報とが蓄積されたデータベースを用意するデータ蓄積手段と、
【００１６】
前記構造選定手段及び前記商品選定手段を含み、該データベースから前記構造選定済み空間の該基本構造情報、該備え付け位置情報及び該基本価格情報と前記選定済み商品の該画像情報及び該商品価格情報とを入手する情報特定手段とを備え、
【００１７】
前記見積手段は該基本価格情報と該商品価格情報とに基づいて行ない、前記モデル作成手段は該基本構造情報と該備え付け位置情報と該画像情報とに基づいて行なうことを特徴とする。
【００１８】
さらに、本発明の提案方法は、本発明の提案プログラムを記録したコンピュータ読み取り可能な記録媒体により実現可能である。すなわち、この記録媒体は、居住空間の基本構造を構造選定済み空間として選定する構造選定工程と、該構造選定済み居住空間に備え付ける住宅設備商品を選定済み商品として選定する商品選定工程と、該構造選定済み空間に該選定済み商品を備え付けた選定居住空間の見積もり価格を算出する見積工程と、該選定居住空間のモデルを作成するモデル作成工程とを備えた居住空間の提案プログラムを記録したコンピュータ読み取り可能な記録媒体であって、
【００１９】
前記居住空間の基本構造情報と、前記住宅設備商品の画像情報と、前記基本構造に対応した該居住空間への該住宅設備商品の備え付け位置情報と、該基本構造に対応した該居住空間の基本価格情報と、該住宅設備商品の商品価格情報とが蓄積されたデータベースを用意するデータ蓄積工程と、
【００２０】
コンピュータにより、前記構造選定工程及び前記商品選定工程を行なうとともに、該データベースから前記構造選定済み空間の該基本構造情報、該備え付け位置情報及び該基本価格情報と前記選定済み商品の該画像情報及び該商品価格情報とを入手する情報特定工程とを備え、
【００２１】
コンピュータにより、前記見積工程を該基本価格情報と該商品価格情報とに基づいて行なうとともに、前記モデル作成工程を該基本構造情報と該備え付け位置情報と該画像情報とに基づいて行なうことを特徴とする。
【００２２】
また、本発明の提案方法は、本発明の提案プログラムにより実現可能である。すなわち、このプログラムは、居住空間の基本構造を構造選定済み空間として選定する構造選定工程と、該構造選定済み居住空間に備え付ける住宅設備商品を選定済み商品として選定する商品選定工程と、該構造選定済み空間に該選定済み商品を備え付けた選定居住空間の見積もり価格を算出する見積工程と、該選定居住空間のモデルを作成するモデル作成工程とを備えた居住空間の提案プログラムであって、
【００２３】
前記居住空間の基本構造情報と、前記住宅設備商品の画像情報と、前記基本構造に対応した該居住空間への該住宅設備商品の備え付け位置情報と、該基本構造に対応した該居住空間の基本価格情報と、該住宅設備商品の商品価格情報とが蓄積されたデータベースを用意するデータ蓄積工程と、
【００２４】
コンピュータにより、前記構造選定工程及び前記商品選定工程を行なうとともに、該データベースから前記構造選定済み空間の該基本構造情報、該備え付け位置情報及び該基本価格情報と前記選定済み商品の該画像情報及び該商品価格情報とを入手する情報特定工程とを備え、
【００２５】
コンピュータにより、前記見積工程を該基本価格情報と該商品価格情報とに基づいて行なうとともに、前記モデル作成工程を該基本構造情報と該備え付け位置情報と該画像情報とに基づいて行なうことを特徴とする。
【００２６】
本発明の提案方法等では、データ蓄積工程において、データベースを用意する。その際、データベースでは、居住空間の基本構造情報と、住宅設備商品の画像情報と、基本構造に対応した居住空間への住宅設備商品の備え付け位置情報と、基本構造に対応した居住空間の基本価格情報と、住宅設備商品の商品価格情報とが蓄積されている。
【００２７】
例えば、居住空間が浴室である場合、浴室の基本構造としては、浴槽に向かって右側に洗面器具が位置し、左側に入口が位置する第１タイプと、浴槽に向かって左側に洗面器具が位置し、右側に入口が位置する第２タイプと、浴槽に向かって右側に洗面器具が位置し、後側に入口が位置する第３タイプと、浴槽に向かって左側に洗面器具が位置し、後側に入口が位置する第４タイプとを挙げることができる。そして、基本構造の上面方向、正面方向、側面方向又は斜視方向等の写真情報、その設計図面情報又はそのパース画情報等が基本構造情報となる。また、居住空間がキッチン室、洗面室、トイレ室等である場合も住宅設備品や入口等の位置を表示する写真情報等が基本構造情報となる。
【００２８】
また、住宅設備商品の画像情報としては、居住空間に設けられる住宅設備品の上面方向、正面方向、側面方向又は斜視方向等の写真情報、その設計図面情報又はそのパース画情報等を挙げることができる。
【００２９】
そして、基本構造情報には基本価格情報が関連付けられており、住宅設備商品の画像情報には商品価格情報が関連付けられている。また、備え付け位置情報によって、基本構造情報における住宅設備商品の画像情報の備え付け位置を関連付けることができるようになっている。
【００３０】
次に、コンピュータにおいて、情報特定工程を行う。情報特定工程では、構造選定工程として居住空間の基本構造を構造選定済み空間として選定し、商品選定工程として構造選定済み空間に備え付ける住宅設備商品を選定済み商品として選定する。こうして、構造選定済み空間と選定済み商品とが選定されると、データベースから基本構造情報、備え付け位置情報及び基本価格情報と選定済み商品の画像情報及び商品価格情報とが入手される。
【００３１】
次いで、コンピュータにおいて、見積もり工程として基本価格情報と商品価格情報とに基づく見積もりが行われ、モデル作成工程として基本構造情報と備え付け位置情報と画像情報とに基づくモデルの作成が行われる。
【００３２】
その際、見積もりが顧客の予算を満たしていない場合、基本価格情報及び商品価格情報は基本構造情報及び画像情報に関連付けられているため、基本価格情報及び商品価格情報から基本構造情報及び画像情報における構造選定済み空間や選定済み商品を再度選定することができる。このため、顧客の予算に応じた居住空間を迅速に提案することができる。また、構造選定済み空間や選定済み商品が再度選定された場合、備え付け位置情報によって基本構造情報における画像情報の位置が再度決定されることとなる。こうしてモデル作成工程によってモデルの作成が再度行われることとなる。このため、顧客がイメージする居住空間を迅速に提案することができる。
【００３３】
したがって、本発明の提案方法等によれば、顧客の予算に応じた居住空間を迅速に提案することができるとともに、顧客がイメージする居住空間を迅速に提案することができる。
【００３４】
本発明の提案方法等では、モデル作成工程において、選定居住空間の３次元カラーモデルを作成することができる。３次元カラーモデルであれば、顧客が選定居住空間をリアルにイメージすることができるからである。
【００３５】
本発明の提案方法等では、備え付け位置情報は座標情報であり、基本構造情報及び画像情報は３次元情報であることが好ましい。基本構造情報に対する画像情報の備え付け位置が座標情報によって決定されれば、３次元情報である基本構造情報及び画像情報を同じ画像上に表すことができるからである。その際、商品選定工程において、選定済み商品の変更を可能とする商品変更工程が含まれていたり、選定済み商品の追加を可能とする商品追加工程を含まれていたりすれば、基本構造情報にさまざまな画像情報を表示させることができる。こうであれば、顧客の好みに応じた選定居住空間を提案することができるからである。
【００３６】
また、本発明の提案方法では、住宅設備商品は品番情報をもち、品番情報によって画像情報及び商品価格情報が関連付けされていることが好ましい。品番情報により画像情報及び商品価格情報を一連の情報として管理することができるからである。
【００３７】
さらに、本発明の提案方法では、情報特定工程はクライアントコンピュータにより行なわれ、モデル作成工程はクライアントコンピュータと送受信可能に接続されたサーバコンピュータにより行なわれることが好ましい。データベースに蓄積された膨大なデータはサーバコンピュータに保存され、そのデータがクライアントコンピュータに送受信される。このため、クライアントコンピュータが情報特定工程を行なえば、クライアントコンピュータが膨大なデータを蓄積する必要がなく、クライアントコンピュータが簡易に情報特定工程を行なうことができる。また、これにより、クライアントコンピュータをサーバコンピュータから遠隔することも可能であり、提案が便宜になる。その際、サーバコンピュータにより作成されたモデルのデータであるモデルデータがクライアントコンピュータに送信され得る。モデルの作成も膨大なデータの蓄積が必要であるため、サーバコンピュータがモデルの作成を行えば、クライアントコンピュータに膨大なデータを蓄積させる必要がないからである。
【００３８】
こうして、クライアントコンピュータに送信されたモデルデータは提案書として印刷することができる。このため、顧客はその提案書を入手することができる。
【００３９】
ここで、情報特定工程において、構造選定工程及び商品選定工程による顧客データを作成する顧客データ作成工程が備えられておれば、顧客データを保存することができる。
【００４０】
本発明の提案方法では、居住空間は浴室であることことが好ましい。浴室では、基本構造として上述した第１〜４タイプのものがあり、住宅設備商品としてさまざまな水廻り品等が存在するため、そのバリエーションが豊富である。このため、浴室の基本構造情報や画像情報等の情報が膨大となっても、さまざまな浴室を提案することができる。なお、本発明の提案方法等は、居住空間としての浴室に適用されるだけでなく、キッチン室、洗面室、トイレ室等についても適用することができる。
【００４１】
【発明の実施の形態】
以下、本発明の実施形態を図１〜９を参照しつつ説明する。
【００４２】
実施形態における居住空間としての浴室の提案方法は、図１に示すように、サーバコンピュータ１と、このサーバコンピュータ１とネットワークにより接続された複数のクライアントコンピュータ２とにより構成されている。実施形態の提案プログラムは専用回線を通じて支社・営業所、ショールーム、特約店等に配布される。また、この提案プログラムはＣＤ−ＲやＤＶＤ−Ｒ等の記録媒体に記録され、支社・営業所、ショールーム、特約店等に配布されたりもする。こうして配布された実施形態の提案プログラムが各クライアントコンピュータ２にインストールされている。各クライアントコンピュータ２は、支社・営業所、ショールーム、特約店等に設けられており、それらによって使用される。
【００４３】
図２に示すように、サーバコンピュータ１は、データベースＤＢを蓄積するデータ蓄積手段５とモデル作成手段１６とを有しており、クライアントコンピュータ２は、構造選定手段２１及び商品選定手段２２を含む情報特定手段２０と、見積手段２３とを有している。実施形態の提案方法及び提案プログラムを実行するに当たり、以下のように、実施形態の提案システムのデーターベースＤＢが蓄積される。
【００４４】
まず、図示しない浴室の基本構造として、浴槽に向かって右側に洗面器具が位置し、左側に入口が位置する第１タイプと、浴槽に向かって左側に洗面器具が位置し、右側に入口が位置する第２タイプと、浴槽に向かって右側に洗面器具が位置し、後側に入口が位置する第３タイプと、浴槽に向かって左側に洗面器具が位置し、後側に入口が位置する第４タイプとを挙げることができる。そして、それらの斜視方向の写真情報を基本構造情報１０として用意する。その際、各基本構造情報１０は各浴室の基本価格情報１１と関連付けされている。
【００４５】
また、図示しない住宅設備品として、床、壁パネル、洗面器台、浴槽、窓、水栓金具、ドア、換気設備等を挙げることができる。そして、これらの斜視方向の写真情報を画像情報１２として用意する。その際、各画像情報１２は各住宅設備商品の品番情報１３と関連付けされている。また、各品番情報１３は各住宅設備商品の商品価格情報１４と関連付けされている。このため、品番情報１３により画像情報１２及び商品価格情報１４を一連の情報として管理することができる。
【００４６】
さらに、基本構造に対応した住宅設備商品の備え付け位置を備え付け位置情報１５として用意する。
【００４７】
こうして図３に示すデータベース蓄積工程Ｓ１０では、図２に示す基本構造情報１０、基本価格情報１１、住宅設備商品の画像情報１２、品番情報１３及び商品価格情報１４及び備え付け位置情報１５がデータベースＤＢに蓄積される。特に、居住空間が浴室である場合、上述した第１〜４タイプの基本構造があり、住宅設備商品としてさまざまなものが存在するため、そのバリエーションが豊富となり、そのデータも膨大となる。こうして、サーバコンピュータ１のデータ蓄積手段５では、データベースＤＢに蓄積された基本構造情報１０等の膨大なデータが保存される。
【００４８】
そして、図３に示す情報特定工程Ｓ２０における構造選定工程Ｓ２１及び商品選定工程Ｓ２２として、図２に示すクライアントコンピュータ２の情報特定手段２０における構造選定手段２１及び商品選定手段２２が行われる。その際、クライアントコンピュータ２では、図４に示すユニットバス見積システム画面３０が表示される。そして、画面３０では、浴室の基本構造を構造選定済み空間として選定したり、浴室に備え付ける住宅設備商品を選定済み商品として選定したりする。なお、画面３０では、品番情報１３として住宅設備商品の品番入力を行うことにより選定済み商品を選定している。こうして、クライアントコンピュータ２がサーバコンピュータ１のデータベースＤＢから構造選定済み空間の基本構造情報１０、備え付け位置情報１５及び基本価格情報１１と選定済み商品の画像情報１２及び商品価格情報１４とを入手する。
【００４９】
また、情報特定工程Ｓ２０では、図５に示す作図設定画面４０によって施工内容が記載され、図６に示すデータ依頼画面５０によって顧客の情報が記載される。こうして、画面４０及び５０によって、顧客データ作成工程Ｓ２４が行われる。そして、画面４０及び５０で作成された顧客データは保存されることとなる。
【００５０】
そして、図３に示す見積工程Ｓ３０として、図２に示すクライアントコンピュータ２では、基本価格情報１１と商品価格情報１４とに基づいて見積手段２３が行われる。その際、見積もりが顧客の予算を満たしていない場合、基本価格情報１１及び商品価格情報１４は基本構造情報１１及び画像情報１２に関連付けられているため、基本価格情報１１及び商品価格情報１４から基本構造情報１０及び画像情報１２における構造選定済み空間や選定済み商品を再度選定することができる。このため、顧客の予算に応じた浴室を迅速に提案することができる。
【００５１】
また、図３に示すモデル作成工程Ｓ４０として、図２に示すサーバーコンピュータ１では、基本構造情報１０と備え付け位置情報１５と画像情報１２とに基づいてモデル作成手段１６が行われる。その際、モデル作成手段１６では、座標情報からなる備え付け位置情報１５によって、３次元情報からなる基本構造情報１０と画像情報１２とを同じ画像上に表すことができる。このため、図７に示すように、浴室の３次元カラーモデル６０を作成することができる。こうして作成された３次元カラーモデル６０は、図２に示すように、クライアントコンピュータ２に送信される。ここで、構造選定済み空間や選定済み商品が再度選定された場合、図２に示すサーバーコンピュータ１では、備え付け位置情報１５によって基本構造情報１０における画像情報１２の位置が再度決定されることとなる。その際、図２に示すモデル作成工程１６によって図７に示す３次元カラーモデル６０の作成が再度行われることとなる。このため、顧客がイメージする居住空間を迅速に提案することができる。
【００５２】
こうして、図２に示すクライアントコンピュータ２では、図８に示すプリンタ依頼画面７０によって、図９に示す提案書８０が印刷される。提案書８０では、図７に示す３次元カラーモデル６０や、図２に示す情報特定手段２０で入手した基本構造情報１０や画像情報１２が掲載される。このため、顧客はその提案書８０を入手することができる。こうして提案書８０に掲載された３次元カラーモデル６０等により、顧客がイメージする浴室を提案することができる。
【００５３】
したがって、実施形態の提案方法等によれば、顧客の予算に応じた浴室を迅速に提案することができるとともに、顧客がイメージする浴室を提案することができる。
【００５４】
また、実施形態の提案方法及び提案システムでは、図２に示す情報特定工程２２はクライアントコンピュータ２により行なわれ、モデル作成工程１６はクライアントコンピュータ２と送受信可能に接続されたサーバコンピュータ１により行なわれる。このため、データベースＤＢに蓄積された膨大なデータはサーバコンピュータ１に保存され、そのデータがクライアントコンピュータ２に送受信される。こうして、クライアントコンピュータ２が情報特定工程２２を行なえば、クライアントコンピュータ２が膨大なデータを蓄積する必要がなく、クライアントコンピュータ２が簡易に情報特定工程２２を行なうことができる。また、クライアントコンピュータ２をサーバコンピュータ１から遠隔することも可能であり、提案が便宜になる。その際、サーバコンピュータ１により作成された図７に示す３次元カラーモデル６０のデータであるモデルデータがクライアントコンピュータ２に送信され得る。３次元カラーモデル６０の作成も膨大なデータの蓄積が必要であるため、サーバコンピュータ１が３次元カラーモデル６０の作成を行えば、クライアントコンピュータ２に膨大なデータを蓄積させる必要がない。
【００５５】
なお、図３に示す商品選定工程Ｓ２２において、選定済み商品の変更を可能とする商品変更工程２２ａが含まれていたり、選定済み商品の追加を可能とする商品追加工程２２ｂが含まれていたりすれば、基本構造情報１０にさまざまな画像情報１２を表示させることができ、顧客の好みに応じた３次元カラーモデル６０を提案することができる。
【図面の簡単な説明】
【図１】実施形態に係る提案システムの全体構成図である。
【図２】実施形態に係る提案システムのブロック図である。
【図３】実施形態に係る提案方法及び提案プログラムの工程図である。
【図４】実施形態に係るユニットバス見積システム画面の画面図である。
【図５】実施形態に係る作図設定画面の画面図である。
【図６】実施形態に係るデータ依頼画面の画面図である。
【図７】実施形態に係る３次元カラーモデルのデータ図である。
【図８】実施形態に係るプリンタ依頼画面の画面図である。
【図９】実施形態に係る提案書の全体図である。
【符号の説明】
Ｓ２１…構造選定工程
Ｓ２２…商品選定工程
Ｓ３０…見積工程
Ｓ４０…モデル作成工程
１０…基本構造情報
１２…画像情報
１５…備え付け位置情報
１１…基本価格情報
１４…商品価格情報
ＤＢ…データベース
Ｓ１０…データ蓄積工程
１、２…コンピュータ（１…サーバコンピュータ、２…クライアントコンピュータ）
Ｓ２０…情報特定工程
６０…３次元カラーモデル
Ｓ２２ａ…商品変更工程
Ｓ２２ｂ…商品追加工程
１３…品番情報
８０…提案書
Ｓ２４…顧客データ作成工程
２１…構造選定手段
２２…商品選定手段
２３…見積手段
１６…モデル作成手段
５…データ蓄積手段
２０…情報特定手段
【図１】
2004151999.tif 000003
【図２】
2004151999.tif 000004
【図３】
2004151999.tif 000005
【図４】
2004151999.tif 000006
【図５】
2004151999.tif 000007
【図６】
2004151999.tif 000008
【図７】
2004151999.tif 000009
【図８】
2004151999.tif 000010
【図９】
2004151999.tif 000011